(57)【要約】【課題】光源の限られた発光パワーで記録時及び再生時の光ビームを効率よく発生できるようにする。【解決手段】コントローラ２２は駆動制御系部２１を制御して、情報の記録時にはアクチュエータ２５でグレーティング２４を光ビームの光路中から出すように移動させ、グレーティング２３のみで光源ユニット１０によって発生させた光ビームを所定数に分割して照射する。一方、情報の再生時にはグレーティング２４を光ビームの光路中へ入れるように移動させてグレーティング２３に重ねて配置し、グレーティング２３と２４で光源ユニット１０によって発生させた光ビームをグレーティング２３のみよりも多くの数に分割して照射する。【選択図】　　　図６
2004055021.tif 000002
【特許請求の範囲】
【請求項１】
光源によって発生させた光ビームを複数個の光ビームに分割し、該分割された各光ビームを相対的に動かして情報記録媒体に照射し、その各反射光に基づいて前記情報記録媒体に対する情報の記録及び再生を行う情報記録再生方法において、
情報の記録時に照射する光ビームの数が、情報の再生時に照射する光ビームの数よりも少なくなるように前記光源によって発生させた光ビームを分割することを特徴とする情報記録再生方法。
【請求項２】
請求項１記載の情報記録再生方法において、
情報の記録時及び情報の再生時に照射する各光ビームがほぼ一直線上に並ぶように前記光源によって発生させた光ビームを分割することを特徴とする情報記録再生方法。
【請求項３】
請求項１又は２記載の情報記録再生方法において、
情報の記録時に分割した各光ビームを情報の記録とフォーカス制御及び前記光ビームの移動方向にほぼ直角の方向の位置制御に使用し、情報の再生時に分割した各光ビームを情報の再生とフォーカス制御及び前記光ビームの移動方向にほぼ直角の方向の位置制御と共に、情報の記録時よりも増加した分の光ビームで隣りの情報の漏れこみをキャンセルすることを特徴とする情報記録再生方法。
【請求項４】
光源によって発生させた光ビームを複数個の光ビームに分割する光ビーム分割手段と、該光ビーム分割手段によって分割された各光ビームを相対的に動かして情報記録媒体に照射し、その各反射光に基づいて前記情報記録媒体に対する情報の記録及び再生を行う手段とを備えた情報記録再生装置において、
前記光ビーム分割手段が、前記光源によって発生させた光ビームをそれぞれ所定数の光ビームに分割する第１及び第２光ビーム分割部と、該第２光ビーム分割部を前記光源によって発生させた光ビームの光路中に出し入れする出入制御部とからなり、前記第１光ビーム分割部を前記光源によって発生させた光ビームの光路中に固定配置し、情報の記録時には前記出入制御部によって前記第２光ビーム分割部を前記光路中から出し、前記第１光ビーム分割部のみで前記光源によって発生させた光ビームを所定数に分割し、情報の再生時には前記第２光ビーム分割部を前記光路中へ入れて前記第１光ビーム分割部に重ねて配置し、前記第１及び第２光ビーム分割部で前記光源によって発生させた光ビームを前記第１光ビーム分割部のみよりも多くの数に分割し、情報の記録時に照射する光ビームの数が、情報の再生時に照射する光ビームの数よりも少なくなるように前記光源によって発生させた光ビームを分割する手段であることを特徴とする情報記録再生装置。
【請求項５】
請求項４記載の情報記録再生装置において、
前記出入制御部が、前記第２光ビーム分割部を前記光路に対して垂直方向から直線的に出し入れする手段であることを特徴とする情報記録再生装置。
【請求項６】
請求項４記載の情報記録再生装置において、
前記出入制御部が、前記第２光ビーム分割部を前記光路に対して垂直方向から回転移動させて出し入れする手段であることを特徴とする情報記録再生装置。
【請求項７】
光源によって発生させた光ビームを複数個の光ビームに分割する光ビーム分割手段と、該光ビーム分割手段によって分割された各光ビームを相対的に動かして情報記録媒体に照射し、その各反射光に基づいて前記情報記録媒体に対する情報の記録及び再生を行う手段とを備えた情報記録再生装置において、
前記光ビーム分割手段が、前記光源によって発生させた光ビームを所定数の光ビームに分割する第１光ビーム分割領域と前記光源によって発生させた光ビームを前記所定数よりも多くの数の光ビームに分割する第２光ビーム分割領域とを備えた光ビーム分割部と、該光ビーム分割部を前記光源によって発生させた光ビームの光路中で移動させる移動制御部とからなり、情報の記録時には前記移動制御部によって前記光ビーム分割部をその第１光ビーム分割領域が前記光路中に位置するように移動させ、前記第１光ビーム分割領域で前記光源によって発生させた光ビームを所定数に分割し、情報の再生時には前記移動制御部によって前記光ビーム分割部をその第２光ビーム分割領域が前記光路中に位置するように移動させ、前記第２光ビーム分割領域で前記光源によって発生させた光ビームを所定数よりも多くの数に分割する手段であることを特徴とする情報記録再生装置。
【請求項８】
請求項７記載の情報記録再生装置において、
前記移動制御部が、前記光ビーム分割部を前記光路に対して垂直方向に直線的に移動させる手段であることを特徴とする情報記録再生装置。
【請求項９】
請求項７記載の情報記録再生装置において、
前記移動制御部が、前記光ビーム分割部を前記光路に対して垂直方向に回転移動させる手段であることを特徴とする情報記録再生装置。
【請求項１０】
光源によって発生させた光ビームを複数個の光ビームに分割する光ビーム分割手段と、該光ビーム分割手段によって分割された各光ビームを相対的に動かして情報記録媒体に照射し、その各反射光に基づいて前記情報記録媒体に対する情報の記録及び再生を行う手段とを備えた情報記録再生装置において、
前記光ビーム分割手段が、前記光源によって発生させた光ビームを所定数の光ビームに分割する複数の固定溝を有し、電界が印加されていない時は溝を形成し、電界が印加された時は透明になって前記溝を消去する液晶部を設けた光ビーム分割部と、前記各液晶部への電界の印加を制御する電界制御部とからなり、情報の記録時には前記電界制御部によって前記液晶部に電界を印加して前記固定溝のみで前記光源によって発生させた光ビームを分割し、情報の再生時には前記電界制御部によって前記液晶部に電界を印加しないようにして前記全固定溝と前記形成された溝とで前記光源によって発生させた光ビームを前記所定数よりも多い数の光ビームに分割する手段であることを特徴とする情報記録再生装置。
【請求項１１】
光源によって発生させた光ビームをほぼ一直線状に配列する複数個の光ビームに分割する光ビーム分割手段と、該光ビーム分割手段によって分割された各光ビームを相対的に動かして情報記録媒体に照射し、その各反射光に基づいて前記情報記録媒体に対する情報の記録及び再生を行う手段とを備えた情報記録再生装置において、
前記光ビーム分割手段が、情報の記録時と再生時とでそれぞれ複数の溝の深さを変更して前記光源によって発生させた光ビームを所定数の光ビームに分割する手段であることを特徴とする情報記録再生装置。
【請求項１２】
光源によって発生させた光ビームをほぼ一直線状に配列する複数個の光ビームに分割する光ビーム分割手段と、該光ビーム分割手段によって分割された各光ビームを相対的に動かして情報記録媒体に照射し、その各反射光に基づいて前記情報記録媒体に対する情報の記録及び再生を行う手段とを備えた情報記録再生装置において、
前記光ビーム分割手段が、前記光源によって発生させた光ビームを所定数の光ビームに分割する複数の固定溝を有し、該固定溝の底部に電界が印加されていない時は溝を浅くして、電界が印加された時は透明になって溝を深くする液晶部を設けた光ビーム分割部と、前記各液晶部への電界の印加を制御する電界制御部とからなり、情報の記録時には前記電界制御部によって前記いずれかの液晶部に電界を印加して前記固定溝の内の所定の固定溝の深さを浅くし、その固定溝で前記光源によって発生させた光ビームを分割し、情報の再生時には前記電界制御部によって前記いずれかの液晶部に電界を印加しないようにして前記固定溝の内の所定の固定溝の深さを深くし、その固定溝で前記光源によって発生させた光ビームを分割する手段であることを特徴とする情報記録再生装置。
【発明の詳細な説明】
【０００１】
【発明の属する技術分野】
この発明は、複数のトラック状の記録エリアを持つ記録媒体に情報を記録し、その記録媒体に記録された情報を再生する情報記録再生方法と、複数のトラック状の記録エリアを持つ記録媒体に情報を記録し、その記録媒体に記録された情報を再生するＣＤ−Ｒ／ＲＷドライブ，ＣＤ＋Ｒ／ＲＷドライブ，ＤＶＤ−Ｒ／ＲＷドライブ，ＤＶＤ＋Ｒ／ＲＷドライブ等の情報記録再生装置に関する。
【０００２】
【従来の技術】
情報記録再生装置では、情報記録媒体に記録された情報を再生する際のトラッキングサーボを行うためのトラッキング誤差信号の検出方法として、光軸ずれが少ないＤＰＰ法が一般に用いられている。
このＤＰＰ法とは、光源から発生させた光ビームを解析格子（グレーティング）を用いてメインの光ビームと複数個のサブの光ビームとに分割し、その各光ビームを情報記録媒体に照射し、その反射光からトラッキング誤差信号を検出する方法であり、その検出されたトラッキング誤差信号に基づいてトラッキングサーボを行う。
【０００３】
ところが、情報記録媒体の記録密度を向上させると、隣接トラックからのデータの回り込み（「クロストーク」と称する）が大きくなって光ディスクの情報を正しく再生できなくなってしまう。
そこで従来、サブビームを使って隣接トラックの情報を再生し、その再生した情報に係数を掛けて引くことによってクロストークをキャンセルする情報記録再生装置（例えば、特開２００１−２８３４４１号公報参照）が提案されている。
【０００４】
【発明が解決しようとする課題】
しかしながら、上述のような情報記録再生装置では、情報の記録の際、光源から発生させた光ビームの分割によってメインの光ビームの強さが低下する。記録時のメインの光ビームの強さは再生時に比べて１０倍以上必要になるので、再生時には問題にならなかった光量の低下によって記録品質が劣化する恐れがある。そこで、光源のパワーを高めると装置コストが上昇するという問題が生じる。
この発明は上記の課題を解決するためになされたものであり、光源の限られた発光パワーで記録時及び再生時の光ビームを効率よく発生させられるようにすることを目的とする。
【０００５】
【課題を解決するための手段】
この発明は上記の目的を達成するため、次の（１）〜（３）の情報記録再生方法を提供する。
（１）光源によって発生させた光ビームを複数個の光ビームに分割し、その分割された各光ビームを相対的に動かして情報記録媒体に照射し、その各反射光に基づいて上記情報記録媒体に対する情報の記録及び再生を行う情報記録再生方法において、情報の記録時に照射する光ビームの数が、情報の再生時に照射する光ビームの数よりも少なくなるように上記光源によって発生させた光ビームを分割する情報記録再生方法。
（２）（１）の情報記録再生方法において、情報の記録時及び情報の再生時に照射する各光ビームがほぼ一直線上に並ぶように前記光源によって発生させた光ビームを分割する情報記録再生方法。
【０００６】
（３）（１）又は（２）の情報記録再生方法において、情報の記録時に分割した各光ビームを情報の記録とフォーカス制御及び上記光ビームの移動方向にほぼ直角の方向の位置制御に使用し、情報の再生時に分割した各光ビームを情報の再生とフォーカス制御及び上記光ビームの移動方向にほぼ直角の方向の位置制御と共に、情報の記録時よりも増加した分の光ビームで隣りの情報の漏れこみをキャンセルする情報記録再生方法。
【０００７】
さらに、次の（４）〜（１２）の情報記録再生装置も提供する。
（４）光源によって発生させた光ビームを複数個の光ビームに分割する光ビーム分割手段と、その光ビーム分割手段によって分割された各光ビームを相対的に動かして情報記録媒体に照射し、その各反射光に基づいて上記情報記録媒体に対する情報の記録及び再生を行う手段を備えた情報記録再生装置において、上記光ビーム分割手段が、上記光源によって発生させた光ビームをそれぞれ所定数の光ビームに分割する第１及び第２光ビーム分割部と、その第２光ビーム分割部を上記光源によって発生させた光ビームの光路中に出し入れする出入制御部とからなり、上記第１光ビーム分割部を上記光源によって発生させた光ビームの光路中に固定配置し、情報の記録時には上記出入制御部によって上記第２光ビーム分割部を前記光路中から出し、上記第１光ビーム分割部のみで上記光源によって発生させた光ビームを所定数に分割し、情報の再生時には上記第２光ビーム分割部を上記光路中へ入れて上記第１光ビーム分割部に重ねて配置し、上記第１及び第２光ビーム分割部で上記光源によって発生させた光ビームを上記第１光ビーム分割部のみよりも多くの数に分割し、情報の記録時に照射する光ビームの数が、情報の再生時に照射する光ビームの数よりも少なくなるように上記光源によって発生させた光ビームを分割する手段である情報記録再生装置。
【０００８】
（５）（４）の情報記録再生装置において、上記出入制御部が、上記第２光ビーム分割部を上記光路に対して垂直方向から直線的に出し入れする手段である情報記録再生装置。
（６）（４）の情報記録再生装置において、上記出入制御部が、上記第２光ビーム分割部を上記光路に対して垂直方向から回転移動させて出し入れする手段である情報記録再生装置。
【０００９】
（７）光源によって発生させた光ビームを複数個の光ビームに分割する光ビーム分割手段と、その光ビーム分割手段によって分割された各光ビームを相対的に動かして情報記録媒体に照射し、その各反射光に基づいて上記情報記録媒体に対する情報の記録及び再生を行う手段を備えた情報記録再生装置において、上記光ビーム分割手段が、上記光源によって発生させた光ビームを所定数の光ビームに分割する第１光ビーム分割領域と上記光源によって発生させた光ビームを上記所定数よりも多くの数の光ビームに分割する第２光ビーム分割領域を備えた光ビーム分割部と、その光ビーム分割部を上記光源によって発生させた光ビームの光路中で移動させる移動制御部とからなり、情報の記録時には上記移動制御部によって上記光ビーム分割部をその第１光ビーム分割領域が上記光路中に位置するように移動させ、上記第１光ビーム分割領域で上記光源によって発生させた光ビームを所定数に分割し、情報の再生時には上記移動制御部によって上記光ビーム分割部をその第２光ビーム分割領域が上記光路中に位置するように移動させ、上記第２光ビーム分割領域で上記光源によって発生させた光ビームを所定数よりも多くの数に分割する手段である情報記録再生装置。
【００１０】
（８）（７）の情報記録再生装置において、上記移動制御部が、上記光ビーム分割部を上記光路に対して垂直方向に直線的に移動させる手段である情報記録再生装置。
（９）（７）の情報記録再生装置において、上記移動制御部が、上記光ビーム分割部を上記光路に対して垂直方向に回転移動させる手段である情報記録再生装置。
【００１１】
（１０）光源によって発生させた光ビームを複数個の光ビームに分割する光ビーム分割手段と、その光ビーム分割手段によって分割された各光ビームを相対的に動かして情報記録媒体に照射し、その各反射光に基づいて上記情報記録媒体に対する情報の記録及び再生を行う手段を備えた情報記録再生装置において、上記光ビーム分割手段が、上記光源によって発生させた光ビームを所定数の光ビームに分割する複数の固定溝を有し、電界が印加されていない時は溝を形成し、電界が印加された時は透明になって上記溝を消去する液晶部を設けた光ビーム分割部と、上記各液晶部への電界の印加を制御する電界制御部とからなり、情報の記録時には上記電界制御部によって上記液晶部に電界を印加して上記固定溝のみで上記光源によって発生させた光ビームを分割し、情報の再生時には上記電界制御部によって上記液晶部に電界を印加しないようにして上記全固定溝と前記形成された溝とで上記光源によって発生させた光ビームを上記所定数よりも多い数の光ビームに分割する手段である情報記録再生装置。
【００１２】
（１１）光源によって発生させた光ビームをほぼ一直線状に配列する複数個の光ビームに分割する光ビーム分割手段と、その光ビーム分割手段によって分割された各光ビームを相対的に動かして情報記録媒体に照射し、その各反射光に基づいて上記情報記録媒体に対する情報の記録及び再生を行う手段を備えた情報記録再生装置において、上記光ビーム分割手段が、情報の記録時と再生時とでそれぞれ複数の溝の深さを変更して上記光源によって発生させた光ビームを所定数の光ビームに分割する手段である情報記録再生装置。
【００１３】
（１２）光源によって発生させた光ビームをほぼ一直線状に配列する複数個の光ビームに分割する光ビーム分割手段と、その光ビーム分割手段によって分割された各光ビームを相対的に動かして情報記録媒体に照射し、その各反射光に基づいて上記情報記録媒体に対する情報の記録及び再生を行う手段を備えた情報記録再生装置において、上記光ビーム分割手段が、上記光源によって発生させた光ビームを所定数の光ビームに分割する複数の固定溝を有し、その固定溝の底部に電界が印加されていない時は溝を浅くして、電界が印加された時は透明になって溝を深くする液晶部を設けた光ビーム分割部と、上記各液晶部への電界の印加を制御する電界制御部とからなり、情報の記録時には上記電界制御部によって上記いずれかの液晶部に電界を印加して上記固定溝の内の所定の固定溝の深さを浅くし、その固定溝で上記光源によって発生させた光ビームを分割し、情報の再生時には上記電界制御部によって上記いずれかの液晶部に電界を印加しないようにして上記固定溝の内の所定の固定溝の深さを深くし、その固定溝で上記光源によって発生させた光ビームを分割する手段である情報記録再生装置。
【００１４】
【発明の実施の形態】
以下、この発明の実施形態を図面に基づいて具体的に説明する。
まず、この発明の基礎となる情報記録再生装置の光ピックアップ装置について説明する。
図１は、この発明の基礎となる情報記録再生装置の光ピックアップ装置の概略構成を示すブロック図である。
この光ピックアップ装置は、所定の回転速度で回転されたＣＤ，ＣＤ−ＲＯＭ，ＣＤ−Ｒ／ＲＷ，ＣＤ＋Ｒ／ＲＷ，ＤＶＤ−Ｒ／ＲＷ，ＤＶＤ＋Ｒ／ＲＷ等の光ディスク（情報記録媒体）５にデータ記録再生のためのレーザ光を照射する光学系部１と、光学系部１への信号及び光学系部１からの信号を制御する信号処理系部２と、光学系部１を光ディスク５の半径方向に移動させる粗動モータと、その回転駆動を制御する粗動モータ制御系部とからなる駆動制御系部３と、この光ピックアップ装置全体を制御し、レーザ光の発光の制御を行うコントローラ４を備えている。
【００１５】
光学系部１は、レーザ光の光ビームの発光点を有する光源ユニット１０，コリメートレンズ１１，ビームスプリッタ１２，対物レンズ１３，検出レンズ１４，受光素子１５，グレーティング１６から構成されている。
光源ユニット１０には、レーザ光の光ビームを発生させる半導体レーザチップがマウントされており、この光源ユニット１０から出射した光ビームはコリメートレンズ１１で略平行光に変換される。その後、グレーティング１６で１個のメインの光ビーム（メインビーム）と複数個のサブの光ビーム（サブビーム）とに分離される。それらの光ビームは、ビームスプリッタ１２を透過し、対物レンズ１３によって集光され、光ディスク５の情報記録トラック上に照射される。
【００１６】
光ディスク５からの反射光は照射時の光路を逆行し、再び対物レンズ１３を通ってビームスプリッタ１２に到達する。その反射光は照射時とは異なり、ビームスプリッタ１２によって反射され、検出レンズ１４によって集光されて受光素子１５に導かれる。受光素子１５はサーボ信号の生成方法によって適宜分割されており、受光素子１５で検知された光ディスク５からの反射光はトラックエラー信号，フォーカス信号，ウォブル信号，再生信号及びクロストーク信号として後続の信号処理系部２へ出力され、光ディスク５に記録された情報を再生する。
【００１７】
すなわち、上記光源ユニット１０が光源に相当し、上記グレーティング１６が光源によって発生させた光ビームを複数個の光ビームに分割する光ビーム分割手段に相当し、上記信号処理系部２，コントローラ４等が光ビーム分割手段によって分割された各光ビームを相対的に動かして情報記録媒体に照射し、その各反射光に基づいて情報記録媒体に対する情報の記録及び再生を行う手段の機能を果たす。
【００１８】
図２は、図１に示した光ディスク５上での光ビームの位置関係を示す説明図である。
メインビーム６１はマーク６０上の位置に照射し、トラッキング用のサブビーム６２ａと６２ｂはメインビーム６１に対して前後方向の斜めの位置を保ち、マーク６０とマーク６０の間の位置に配置するように照射される。また、クロストークキャンセル用のサブビーム６２ｃと６２ｄはメインビーム６１が照射されたマーク６０とは隣接するトラック６０上にそれぞれメインビーム６１に対して前後方向の斜めの位置を保つ位置に照射される。
【００１９】
図３は、図１に示した受光素子１５の構成例を示す説明図である。
受光素子１５は、図中Ａ〜Ｊで示す１０の部分からなり、Ａ，Ｂ，Ｃ，Ｄの各部はメインビーム６１の受光に使用し、ＥとＦ，ＧとＨの各部はそれぞれトラッキング用のサブビーム６２ａと６２ｂの受光に使用し、ＩとＪの部分はメインビーム６１を照射するマーク６０が形成されたトラックの隣接するトラックのクロストークキャンセル用のサブビーム６２ｃと６２ｄの受光に使用する。
【００２０】
図４は、図１に示したグレーティング１６の上面図である。
グレーティング１６は、光源ユニット１０から発せられた光ビームを中心部のメインビーム６１と、そのメインビーム６１を中心として異なる方向に照射する上記のようなサブビーム６２ａ〜６２ｄを分割するための部材であり、図４に示すような２次元の格子で構成されている。
【００２１】
図５は、図１に示した光ディスク５上での光ビームの位置関係の他の例を示す説明図である。
メインビーム７１はマーク７０上の位置に照射し、トラッキング用のサブビーム７２ａと７２ｂとクロストークキャンセル用のサブビーム７２ｃと７２ｄは、それぞれメインビーム７１に対して前後方向の斜めの位置を保ち、メインビーム７１を中心として各ビームが一直線に並ぶように配置して照射される。その各サブビーム７２ａ〜７２ｄはグレーティング１６の溝深さで強度を設定することができる。
【００２２】
上述の情報記録再生装置の光ピックアップ装置で光ディスクの情報を再生する場合、再生信号を５つ以上に分離しても光量が問題になることはない。
しかし、光ディスクに情報を記録する場合、メインビームの強さが再生時に比べて１０倍以上必要になるが、光源ユニットから発生させた光ビームの分割によってメインの光ビームの強さが低下するので、再生時には問題にならなかった光量の低下によって記録品質が劣化する恐れがある。また、光ビームを発光させる光源ユニットの発光パワーも制約があるので、限られた発光パワーで記録に必要な光量の光ビームを発生させないと情報の記録を行えない場合がある。
【００２３】
そこで、この発明の一実施例の情報記録再生装置の光ピックアップ装置は、再生のときは必要であるクロストークキャンセルが記録時には必要がないことを利用し、光ディスクへの記録時に光ビームの分割数を少なくしてメインビームの光量の低下を防ぐものである。
例えば、情報の再生時には図２又は図５に示した５つの光ビームで照射し、記録時にはクロストークキャンセル用の光ビームを出力しないで３つの光ビームで記録を行う。
【００２４】
次に、この発明の情報記録再生装置の一実施形態である光ピックアップ装置について説明する。
図６は、この発明の情報記録再生装置の一実施形態である光ピックアップ装置の構成を示すブロック図である。図１の光ピックアップ装置と共通する部分には同一符号を付している。
この光ピックアップ装置は、光学系部２０の内部構成が上述した発明の基礎となる光ピックアップ装置とは異なり、上記グレーティング１６に代えて、グレーティング２３と２４との２つで構成され、そのグレーティング２４を光ビームの光路に対して垂直方向から直線的に移動（図中矢示ａ方向）させて出し入れするアクチュエータ２５を設けている。また、駆動制御系部２１は光学系部２０の駆動と共にアクチュエータ２５の駆動制御も司り、コントローラ２２が情報の記録及び再生時の駆動制御系部２１の制御を行う。
【００２５】
グレーティング２３と２４は、それぞれ光源ユニット１０によって発生させた光ビームをそれぞれ所定数の光ビームに分割する第１及び第２光ビーム分割部に相当し、そのグレーティング２３は光源ユニット１０によって発生させた光ビームの光路中に固定配置されている。
グレーティング２３は、記録時及び再生時に光源ユニット１０から発生された光ビームからトラッキング用のサブビームを分割して生成するグレーティング機能を有する。また、グレーティング２４は、再生時に光源ユニット１０から発生された光ビームからクロストークキャンセル用の複数個のサブビームを分割して生成するグレーティング機能を有する。さらに、アクチュエータ２５は、グレーティング２４を光源ユニット１０によって発生させた光ビームの光路中にその光路に対して垂直方向から直線的に出し入れする出入制御部に相当する。
【００２６】
そして、コントローラ２２は駆動制御系部２１を制御して、情報の記録時にはアクチュエータ２５によってグレーティング２４を光ビームの光路中から出すように移動させ、グレーティング２３のみで光源ユニット１０によって発生させた光ビームを所定数に分割して照射する。
一方、情報の再生時にはグレーティング２４を光ビームの光路中へ入れるように移動させてグレーティング２３に重ねて配置し、グレーティング２３と２４で光源ユニット１０によって発生させた光ビームをグレーティング２３のみよりも多くの数に分割して照射する。このようにして、情報の記録時に照射する光ビームの数が、情報の再生時に照射する光ビームの数よりも少なくなるように光源ユニット１０によって発生させた光ビームを分割する制御を行う。
このように、グレーティングを２つ設け、１つで記録再生で共通に使用する部分を生成し、もう１つで再生時だけに必要なビームを生成することができる。
【００２７】
図７は、図６に示した光ピックアップ装置によって照射した光ビームの光ディスク５上での位置関係の他の例を示す説明図である。
メインビーム８１はマーク８０上の位置に照射し、トラッキング用のサブビーム８２ａと８２ｂは、それぞれメインビーム８１に対して前後方向の斜めの位置を保ち、メインビーム８１を中心として各ビームが一直線に並ぶように配置して照射される。
こうして、情報の記録時及び情報の再生時に照射する各光ビームがほぼ一直線上に並ぶように光源ユニット１０によって発生させた光ビームを分割する。
また、情報の記録時に分割した各光ビームを情報の記録とフォーカス制御及び光ビームの移動方向にほぼ直角の方向の位置制御に使用し、情報の再生時に分割した各光ビームを情報の再生とフォーカス制御及び光ビームの移動方向にほぼ直角の方向の位置制御と共に、情報の記録時よりも増加した分の光ビームで隣りの情報の漏れこみをキャンセルする。
【００２８】
このようにして、記録時のメインビームのパワー低下を防ぐことができる。
また、再生に比べて記録時のビーム数が少ないので、よりパワーを必要とする記録動作を行うことができる。
さらに、各光ビームが１直線上に配置されるのでグレーティングを１方向だけで構成することができる。
さらにまた、再生時に増やしたビームで、記録時には必要のないクロストークをキャンセルすることができる。
【００２９】
次に、この発明の情報記録再生装置の他の実施形態である光ピックアップ装置について説明する。
図８は、この発明の情報記録再生装置の他の実施形態である光ピックアップ装置の構成を示すブロック図である。図６の光ピックアップ装置と共通する部分には同一符号を付している。
この光ピックアップ装置は、光学系部３０の内部構成が上述した光ピックアップ装置とは異なり、光源ユニット１０によって発生させた光ビームの光路中に固定配置したグレーティング３３と、モータ３５の回転駆動によって光ビームの光路に対して垂直方向から回転移動（図中矢示ｂ方向）させて出し入れするグレーティング３４を設けている。また、駆動制御系部３１とコントローラ３２の制御処理も若干異なり、モータ３５の駆動制御は駆動制御系部３１が司り、コントローラ３２が情報の記録及び再生時のの駆動制御系部３１の制御を行う。
【００３０】
図９は、図８に示したグレーティング３４の形状を示す説明図である。
このグレーティング３４は、円盤状の形状を有し、図９の（ａ）に示すように、領域を２つに分割し（１／２の領域である必要はない）、例えば一方の領域３４ａにグレーティングを施し、もう一方の領域３４ｂを光を透過するように素通しにする。
あるいは、図９の（ｂ）に示すように、半月形（１８０度である必要はない）の形状にし、その部分にグレーティングを施す。
そして、コントローラ３２は駆動制御系部３１を制御して、情報の記録時にはモータ３５によってグレーティング３４を回転移動させて領域３４ｂがグレーティング３３上に重なるように配置し（あるいは、半月形のグレーティング３４を光路中から外すように移動させ）、グレーティング３３のみで光源ユニット１０によって発生させた光ビームを所定数に分割して照射する。
【００３１】
一方、情報の再生時にはグレーティング３４を回転移動させて領域３４ａがグレーティング３３上に重なるように配置し（あるいは、半月形のグレーティング３４を光路中へ入れてグレーティング３３に重なるように配置し）、グレーティング３３と３４で光源ユニット１０によって発生させた光ビームをグレーティング３３のみよりも多くの数に分割して照射する。このようにして、情報の記録時に照射する光ビームの数が情報の再生時に照射する光ビームの数よりも少なくなるように光源ユニット１０によって発生させた光ビームを分割する制御を行う。
【００３２】
次に、この発明の情報記録再生装置のさらに他の実施形態である光ピックアップ装置について説明する。
図１０は、この発明の情報記録再生装置の他の実施形態である光ピックアップ装置の構成を示すブロック図である。図６，図８の光ピックアップ装置と共通する部分には同一符号を付している。
この光ピックアップ装置は、光学系部４０の内部構成が上述した光ピックアップ装置とは異なり、光源ユニット１０によって発生させた光ビームの光路中に出し入れするグレーティング４３と、そのグレーティング４３を光路に対して垂直方向に直線的に移動（図中矢示ｃ方向）させて出し入れするアクチュエータ４４を設けている。また、駆動制御系部４１とコントローラ４２の制御処理も若干異なり、アクチュエータ４４の駆動制御は駆動制御系部４１が司り、コントローラ４２が情報の記録及び再生時の駆動制御系部４１の制御を行う。
【００３３】
図１１は、図１０に示したグレーティング４３の形状を示す説明図である。
このグレーティング４３は、光源ユニット１０によって発生させた光ビームを所定数の光ビームに分割する第１光ビーム分割領域４３ａと、光源ユニット１０によって発生させた光ビームを上記所定数よりも多くの数の光ビームに分割する第２光ビーム分割領域４３ｂとを備えている。
第１光ビーム分割領域４３ａは、記録時に光ビームを１つのメインビームと２つのサブビームとに分割する３ビーム領域であり、第２光ビーム分割領域４３ｂは、再生時に光ビームを１つのメインビームと４つのサブビームとに分割する５ビーム領域であり、記録時と再生時でアクチュエータ４４で移動させて切り替える。
【００３４】
そして、コントローラ４２は駆動制御系部４１を制御して、情報の記録時にはアクチュエータ４４によってグレーティング４３を光ビームの光路中で移動させて、第１光ビーム分割領域４３ａが光ビームの光路中に位置するように配置し、第１光ビーム分割領域４３ａで光源ユニット１０によって発生させた光ビームを所定数に分割して照射する。
一方、情報の再生時には第２光ビーム分割領域４３ｂが光ビームの光路中に位置するように配置し、第２光ビーム分割領域４３ｂで光源ユニット１０によって発生させた光ビームを第１光ビーム分割領域４３ａよりも多くの数に分割して照射する。このように、情報の記録時に照射する光ビームの数が、情報の再生時に照射する光ビームの数よりも少なくなるように光源ユニット１０によって発生させた光ビームを分割する制御を行う。
このようにして、グレーティング上に２つの領域を設け、１つで記録再生で共通に使用する部分を生成し、もう１つで再生時だけに必要なビームを生成することができる。
【００３５】
次に、この発明の情報記録再生装置のさらにまた他の実施形態である光ピックアップ装置について説明する。
図１２は、この発明の情報記録再生装置のさらにまた他の実施形態である光ピックアップ装置の構成を示すブロック図である。図６，図８，図１０の光ピックアップ装置と共通する部分には同一符号を付している。
この光ピックアップ装置は、光学系部５０の内部構成が上述した光ピックアップ装置とは異なり、光源ユニット１０によって発生させた光ビームの光路中に、モータ５４の回転駆動によって光ビームの光路に対して垂直方向から回転移動（図中矢示ｄ方向）させて出し入れするグレーティング５３を設けている。また、駆動制御系部５１とコントローラ５２の制御処理も若干異なり、モータ５４の駆動制御は駆動制御系部５１が司り、コントローラ５２が情報の記録及び再生時の駆動制御系部５１の制御を行う。
【００３６】
図１３は、図１２に示したグレーティング５３の形状を示す説明図である。
このグレーティング５３は、円盤状の形状を有し、図１３に示すように、領域を２つに分割し（１／２の領域である必要はない）、例えば第１光ビーム分割領域５３ａと第２光ビーム分割領域５３ｂに分割し、第１光ビーム分割領域５３ａを記録時に光源ユニット１０によって発生させた光ビームを３つの光ビーム（１つのメインビームと２つのサブビーム）とに分割する３ビーム用のグレーティングを施し、第２光ビーム分割領域５３ｂを再生時に光源ユニット１０によって発生させた光ビームを５つの光ビーム（１つのメインビームと４つのサブビーム）とに分割する５ビーム用のグレーティングを施す。
【００３７】
そして、コントローラ５２は駆動制御系部５１を制御して、情報の記録時にはモータ５４によってグレーティング５３を回転移動させて第１光ビーム分割領域５３ａを光路中に配置し、第１光ビーム分割領域５３ａのグレーティングで光源ユニット１０によって発生させた光ビームを３ビームに分割して照射する。
一方、情報の再生時にはグレーティング５３を回転移動させて第２光ビーム分割領域５３ｂを光路中に配置し、第２光ビーム分割領域５３ｂのグレーティングで光源ユニット１０によって発生させた光ビームを５ビームに分割して照射する。このようにして、情報の記録時に照射する光ビームの数が情報の再生時に照射する光ビームの数よりも少なくなるように光源ユニット１０によって発生させた光ビームを分割する制御を行う。
【００３８】
次に、この発明の情報記録再生装置のまた他の実施形態である光ピックアップ装置について説明する。
図１４は、この発明の情報記録再生装置のまた他の実施形態である光ピックアップ装置のグレーティングの説明図である。
このグレーティングは、同図の（ａ）に示すように、光源ユニット１０によって発生させた光ビームを３つの光ビーム（１つのメインビームと２つのトラッキング用回折光）に分割する複数の固定溝（図中の縦方向の溝、図中には３本の溝を示す）と、電界が印加されていない時は光源ユニット１０によって発生させた光ビームを５つの光ビーム（１つのメインビームと４つのクロストークキャンセル用回折光）に分割する複数の溝を形成し、電界が印加された時は透明になってその各溝を消去する液晶部（図中の斜めの溝、図中には４本の液晶部を示す）とからなる。
【００３９】
そして、コントローラの制御により、電界制御部が各液晶部への電界の印加を制御し、同図の（ｂ）に示すように、情報の記録時には電界制御部によって液晶部に電界を印加（電界オン）して固定溝のみで光源ユニット１０からの光ビームを３つの光ビームに分割して照射する。
また、同図の（ｃ）に示すように、情報の再生時には電界制御部によって液晶部に電界を印加しないように（電界オフ）して全固定溝と液晶部で形成された溝とで光源ユニット１０からの光ビームを５つの光ビームに分割して照射する（図２の光ビームに相当する）。
このようにして、グレーティングに液晶を使用することにより、グレーティングを光路中に固定したままでよく、上述のような駆動部を設けなくてもこの発明に係る機能を実現することができる。
【００４０】
次に、この発明の情報記録再生装置のさらにまた他の実施形態である光ピックアップ装置について説明する。
図１５は、この発明の情報記録再生装置のさらにまた他の実施形態である光ピックアップ装置のグレーティングの説明図である。
このグレーティングは、同図の（ａ）に示すように、光源ユニット１０によって発生させた光ビームを所定数の光ビームに分割する複数の固定溝（ここでは３本の溝を示す）を有し、その固定溝の底部に電界が印加されていない時は溝を浅くして、電界が印加された時は透明になって溝を深くする液晶部を設けている。
【００４１】
そして、コントローラの制御により、電界制御部が各液晶部への電界の印加を制御し、同図の（ｂ）に示すように、情報の記録時には電界制御部によっていずれかの液晶部に電界を印加（電界オン）して固定溝の内の所定の固定溝の深さを浅くし、その固定溝で光源ユニット１０によって発生させた光ビームを１つの０次回折光（メインビーム）と２つの１次回折光（トラッキング用回折光）とに分割して照射する。
一方、同図の（ｃ）に示すように、情報の再生時には電界制御部によっていずれかの液晶部に電界を印加しないように（電界オフ）して固定溝の内の所定の固定溝の深さを深くし、その固定溝で光源ユニット１０によって発生させた光ビーム１つの０次回折光（メインビーム）と２つの１次回折光（トラッキング用回折光）と２つの２次回折光（クロストークキャンセル用回折光）に分割して照射する（図５の光ビームの形状に相当する）。
【００４２】
このようにして、各溝の深さを変更することによって１次回折光，２次回折光の比率を変更させ、０次回折光をメインビームとして使用し、１次回折光をトラッキング用として使用し、２次回折光をクロストークキャンセル用として使用することができる。
また、光源ユニット１０によって発生させた光ビームを所定数の光ビームに分割する複数の固定溝を有し、その固定溝の溝の深さをそれぞれ異ならして１次回折光，２次回折光の比率を変更させ、０次回折光をメインビームとして使用し、１次回折光をトラッキング用として使用し、２次回折光をクロストークキャンセル用として使用するようにしてもよい。
このようにして、グレーティング溝の深さを変えて０次回折光，１次回折光，２次回折光の各光量を変更することによって、よりパワーを必要とする記録動作を行うことができる。
【００４３】
【発明の効果】
以上説明してきたように、この発明の情報記録再生方法と情報記録再生装置によれば、光源の限られた発光パワーで記録時及び再生時の光ビームを効率よく発生させることができる。
【図面の簡単な説明】
【図１】この発明の基礎となる情報記録再生装置の光ピックアップ装置の概略構成を示すブロック図である。
【図２】図１に示す光ディスク５上での光ビームの位置関係を示す説明図である。
【図３】図１に示す受光素子１５の構成例を示す説明図である。
【図４】図１に示すグレーティング１６の上面図である。
【図５】図１に示す光ディスク５上での光ビームの位置関係の他の例を示す説明図である。
【図６】この発明の情報記録再生装置の一実施形態である光ピックアップ装置の構成を示すブロック図である。
【図７】図６に示す光ピックアップ装置によって照射した光ビームの光ディスク５上での位置関係の他の例を示す説明図である。
【図８】この発明の情報記録再生装置の他の実施形態である光ピックアップ装置の構成を示すブロック図である。
【図９】図８に示すグレーティング３４の形状を示す説明図である。
【図１０】この発明の情報記録再生装置の他の実施形態である光ピックアップ装置の構成を示すブロック図である。
【図１１】図１０に示すグレーティング４３の形状を示す説明図である。
【図１２】この発明の情報記録再生装置のさらにまた他の実施形態である光ピックアップ装置の構成を示すブロック図である。
【図１３】図１２に示すグレーティング５３の形状を示す説明図である。
【図１４】この発明の情報記録再生装置のまた他の実施形態である光ピックアップ装置のグレーティングの説明図である。
【図１５】この発明の情報記録再生装置のさらにまた他の実施形態である光ピックアップ装置のグレーティングの説明図である。
【符号の説明】
１，２０，３０，４０，５０：光学系部
２：信号処理系部
３，２１，３１，４１，５１：駆動制御系部
４，２２，３２，４２，５２：コントローラ
５：光ディスク　　　　　１０：光源ユニット
１１：コリメートレンズ　１２：ビームスプリッタ
１３：対物レンズ　　　　１４：検出レンズ
１５：受光素子
１６，２３，２４，３３，３４，４３，５３：グレーティング
２５，４４：アクチュエータ
３４ａ，３４ｂ：領域　　３５，５４：モータ
４３ａ，５３ａ：第１光ビーム分割領域
４３ｂ，５３ｂ：第２光ビーム分割領域
６０，７０，８０：マーク
６１，７１，８１：メインビーム
６２ａ〜６２ｄ，７２ａ〜７２ｄ，８２ａ，８２ｂ：サブビーム
【図１】
2004055021.tif 000003
【図２】
2004055021.tif 000004
【図３】
2004055021.tif 000005
【図４】
2004055021.tif 000006
【図５】
2004055021.tif 000007
【図６】
2004055021.tif 000008
【図７】
2004055021.tif 000009
【図８】
2004055021.tif 000010
【図９】
2004055021.tif 000011
【図１０】
2004055021.tif 000012
【図１１】
2004055021.tif 000013
【図１２】
2004055021.tif 000014
【図１３】
2004055021.tif 000015
【図１４】
2004055021.tif 000016
【図１５】
2004055021.tif 000017